(57)【要約】【課題】複数の無線通信システムの各機能に応じて最適な無線通信システムを利用する複合無線通信システム、サービス制御局及びマルチモード無線機を提供すること。【解決手段】ネットワークで接続された複数の無線通信システム１（符号Ａ、Ｂを付す）及びサービス制御局２、ならびに、無線通信システム１に接続可能なマルチモード無線機３を有し、マルチモード無線機３が具備する、通信サービスの要求条件を品質項目別に登録した要求条件テーブルと、無線通信システム１の品質項目に関する品質値を登録した品質管理テーブルとに基づき、通信サービスの要求条件を満たす無線通信システム１を品質項目別に１つ或いは複数選択し、選択した無線通信システム１に対し、品質項目別の品質値に関与する制御データあるいはユーザデータをそれぞれ配分する複合無線通信システムを構成する。【選択図】    図１
2006246115.tif 000002
【特許請求の範囲】
【請求項１】
ネットワークで接続された複数の無線通信システムを構成要素とし、該複数の無線通信システムにより通信サービスを提供する複合無線通信システムであって、
前記ネットワークに接続されたサービス制御局と、前記複数の無線通信システムに接続可能なマルチモード無線機とを備え、
前記サービス制御局及びマルチモード無線機が、制御データとユーザデータの配分及び管理を行う情報管理手段を具備し、
前記サービス制御局、前記マルチモード無線機の少なくとも一方が、前記通信サービスの要求条件を所定の品質項目別に登録した要求条件テーブルと、前記複数の無線通信システムの前記品質項目に関する品質値を登録した品質管理テーブルと、無線通信システムの選択を行う無線通信システム選択手段とを具備し、
前記無線通信システム選択手段は、前記要求条件テーブルと前記品質管理テーブルに基づき、前記通信サービスの要求条件を満たす無線通信システムを前記品質項目別に１つ或いは複数選択し、
前記情報管理手段は、前記品質項目別に選択された無線通信システムに対し、前記品質項目別の品質値に関与する制御データあるいはユーザデータをそれぞれ配分する
ことを特徴とする複合無線通信システム。
【請求項２】
請求項１記載の複合無線通信システムにおいて、
前記マルチモード無線機は、ソフトウェアを変更することで接続する無線通信システムを変更できるソフトウェア無線機であり、
該ソフトウェア無線機は、前記ソフトウェアが使用するハードウェア資源を、接続する無線通信システム別に登録したハードウェア資源テーブルを備え、
前記無線通信システム選択手段は、前記品質項目別に１つ或いは複数選択された無線通信システムから、前記ハードウェア資源テーブルに基づき、ハードウェア資源の利用が最小となる無線通信システムの組み合わせを絞り込み選択する
ことを特徴とする複合無線通信システム。
【請求項３】
請求項１または２記載の複合無線通信システムにおいて、
少なくとも１つの前記無線通信システムの通信シーケンスに少なくとも１つの他の前記無線通信システムの通信シーケンスが組み込まれていることを特徴とする複合無線通信システム。
【請求項４】
通信サービスを提供する複数の無線通信システムにネットワークを介して接続されたサービス制御局であって、
制御データとユーザデータの配分及び管理を行う情報管理手段と、前記通信サービスの要求条件を所定の品質項目別に登録した要求条件テーブルと、前記複数の無線通信システムの前記品質項目に関する品質値を登録した品質管理テーブルと、無線通信システムの選択を行う無線通信システム選択手段とを具備し、
前記無線通信システム選択手段は、前記要求条件テーブルと前記品質管理テーブルに基づき、前記通信サービスの要求条件を満たす無線通信システムを前記品質項目別に１つ或いは複数選択し、
前記情報管理手段は、前記品質項目別に選択された無線通信システムに対し、前記品質項目別の品質値に関与する制御データあるいはユーザデータをそれぞれ配分する
ことを特徴とするサービス制御局。
【請求項５】
ネットワークに接続されて通信サービスを提供する複数の無線通信システムに接続可能なマルチモード無線機であって、
制御データとユーザデータの配分及び管理を行う情報管理手段と、前記通信サービスの要求条件を所定の品質項目別に登録した要求条件テーブルと、前記複数の無線通信システムの前記品質項目に関する品質値を登録した品質管理テーブルと、無線通信システムの選択を行う無線通信システム選択手段とを具備し、
前記無線通信システム選択手段は、前記要求条件テーブルと前記品質管理テーブルに基づき、前記通信サービスの要求条件を満たす無線通信システムを前記品質項目別に１つ或いは複数選択し、
前記情報管理手段は、前記品質項目別に選択された無線通信システムに対し、前記品質項目別の品質値に関与する制御データあるいはユーザデータをそれぞれ配分する
ことを特徴とするマルチモード無線機。
【請求項６】
請求項５記載のマルチモード無線機において、
該マルチモード無線機は、ソフトウェアを変更することで接続する無線通信システムを変更できるソフトウェア無線機であり、
前記ソフトウェアが使用するハードウェア資源を、接続する無線通信システム別に登録したハードウェア資源テーブルを備え、
前記無線通信システム選択手段は、前記品質項目別に１つ或いは複数選択された無線通信システムから、前記ハードウェア資源テーブルに基づき、ハードウェア資源の利用が最小となる無線通信システムの組み合わせを絞り込み選択する
ことを特徴とするマルチモード無線機。
【発明の詳細な説明】
【技術分野】
【０００１】
本発明は複合無線通信システム、サービス制御局及びマルチモード無線機に関する。
【背景技術】
【０００２】
複数の異なる無線通信システムが存在する環境下で、ユーザは、受信レベル情報や料金情報、伝送速度情報等の無線通信システムのサービス品質項目とユーザの選択条件やサービスの要求条件等を比較し、無線通信システムを切り替えながら通信を行う。
【０００３】
複数の無線通信システムの中から１つの無線通信システムを所定の基準で選択し切り替える技術については、例えば、下記特許文献１に記載がある。
【０００４】
図９に、複数の無線通信システムが利用可能な環境下で、マルチモード無線機を用い、１つの無線通信システムを選択し、通信を行う際のフローチャートの一例を示す。
【０００５】
図９において、処理文1002で、マルチモード無線機は利用可能な無線通信システムの受信レベル、或いは伝送速度、或いは料金情報等の取得を行う。処理文1004で、マルチモード無線機は取得した情報とユーザの無線通信システムを選択する際の選択条件、或いはサービスの要求条件と比較し、処理文1006でユーザの選択条件、或いはサービスの要求条件を満たす無線通信システム、或いはそれらの選択条件や要求条件を満たしてはいないが、侯補となっている無線通信システムの中で最適な無線通信システムを選択し、無線機の機能変更を行う。マルチモード無線機は、処理文1008で、変更した無線通信システムを利用して通信を行い、終了となる。
【０００６】
【特許文献１】特開２００１−５４１６８号公報
【発明の開示】
【発明が解決しようとする課題】
【０００７】
無線通信を利用したサービスは多種多様であり、年々増加している。また、サービス毎に要求条件は異なっているため、単一の無線通信システムを利用して、全てのサービスの要求条件を満たすことは難しい。複数の無線通信システムを組み合わせて利用することで、サービスの要求条件に対する柔軟な対応が可能になるが、従来の無線通信システムの切り替え、或いはデータリンクの多重のような組み合わせは、サービスの一部の要求は満足することはできるが、必ずしも全てを満たすというわけではない。
【０００８】
本発明は、複数の無線通信システムの各機能に応じて最適な無線通信システムを利用する複合無線通信システム、サービス制御局及びマルチモード無線機を提供することを目的とするものである。
【課題を解決するための手段】
【０００９】
上記課題を解決するために、本発明においては、請求項１に記載のように、
ネットワークで接続された複数の無線通信システムを構成要素とし、該複数の無線通信システムにより通信サービスを提供する複合無線通信システムであって、前記ネットワークに接続されたサービス制御局と、前記複数の無線通信システムに接続可能なマルチモード無線機とを備え、前記サービス制御局及びマルチモード無線機が、制御データとユーザデータの配分及び管理を行う情報管理手段を具備し、前記サービス制御局、前記マルチモード無線機の少なくとも一方が、前記通信サービスの要求条件を所定の品質項目別に登録した要求条件テーブルと、前記複数の無線通信システムの前記品質項目に関する品質値を登録した品質管理テーブルと、無線通信システムの選択を行う無線通信システム選択手段とを具備し、前記無線通信システム選択手段は、前記要求条件テーブルと前記品質管理テーブルに基づき、前記通信サービスの要求条件を満たす無線通信システムを前記品質項目別に１つ或いは複数選択し、前記情報管理手段は、前記品質項目別に選択された無線通信システムに対し、前記品質項目別の品質値に関与する制御データあるいはユーザデータをそれぞれ配分することを特徴とする複合無線通信システムを構成する。
【００１０】
また、本発明においては、請求項２に記載のように、
請求項１記載の複合無線通信システムにおいて、前記マルチモード無線機は、ソフトウェアを変更することで接続する無線通信システムを変更できるソフトウェア無線機であり、該ソフトウェア無線機は、前記ソフトウェアが使用するハードウェア資源を、接続する無線通信システム別に登録したハードウェア資源テーブルを備え、前記無線通信システム選択手段は、前記品質項目別に１つ或いは複数選択された無線通信システムから、前記ハードウェア資源テーブルに基づき、ハードウェア資源の利用が最小となる無線通信システムの組み合わせを絞り込み選択することを特徴とする複合無線通信システムを構成する。
【００１１】
また、本発明においては、請求項３に記載のように、
請求項１または２記載の複合無線通信システムにおいて、
少なくとも１つの前記無線通信システムの通信シーケンスに少なくとも１つの他の前記無線通信システムの通信シーケンスが組み込まれていることを特徴とする複合無線通信システムを構成する。
【００１２】
また、本発明においては、請求項４に記載のように、
通信サービスを提供する複数の無線通信システムにネットワークを介して接続されたサービス制御局であって、制御データとユーザデータの配分及び管理を行う情報管理手段と、前記通信サービスの要求条件を所定の品質項目別に登録した要求条件テーブルと、前記複数の無線通信システムの前記品質項目に関する品質値を登録した品質管理テーブルと、無線通信システムの選択を行う無線通信システム選択手段とを具備し、前記無線通信システム選択手段は、前記要求条件テーブルと前記品質管理テーブルに基づき、前記通信サービスの要求条件を満たす無線通信システムを前記品質項目別に１つ或いは複数選択し、前記情報管理手段は、前記品質項目別に選択された無線通信システムに対し、前記品質項目別の品質値に関与する制御データあるいはユーザデータをそれぞれ配分することを特徴とするサービス制御局を構成する。
【００１３】
また、本発明においては、請求項５に記載のように、
ネットワークに接続されて通信サービスを提供する複数の無線通信システムに接続可能なマルチモード無線機であって、制御データとユーザデータの配分及び管理を行う情報管理手段と、前記通信サービスの要求条件を所定の品質項目別に登録した要求条件テーブルと、前記複数の無線通信システムの前記品質項目に関する品質値を登録した品質管理テーブルと、無線通信システムの選択を行う無線通信システム選択手段とを具備し、前記無線通信システム選択手段は、前記要求条件テーブルと前記品質管理テーブルに基づき、前記通信サービスの要求条件を満たす無線通信システムを前記品質項目別に１つ或いは複数選択し、前記情報管理手段は、前記品質項目別に選択された無線通信システムに対し、前記品質項目別の品質値に関与する制御データあるいはユーザデータをそれぞれ配分することを特徴とするマルチモード無線機を構成する。
【００１４】
また、本発明においては、請求項６に記載のように、
請求項５記載のマルチモード無線機において、該マルチモード無線機は、ソフトウェアを変更することで接続する無線通信システムを変更できるソフトウェア無線機であり、前記ソフトウェアが使用するハードウェア資源を、接続する無線通信システム別に登録したハードウェア資源テーブルを備え、前記無線通信システム選択手段は、前記品質項目別に１つ或いは複数選択された無線通信システムから、前記ハードウェア資源テーブルに基づき、ハードウェア資源の利用が最小となる無線通信システムの組み合わせを絞り込み選択することを特徴とするマルチモード無線機を構成する。
【発明の効果】
【００１５】
本発明の実施により、複数の無線通信システムの各機能に応じて最適な無線通信システムを利用する複合無線通信システム、サービス制御局及びマルチモード無線機を提供することが可能となる。
【発明を実施するための最良の形態】
【００１６】
無線通信システムで利用している周波数、変調方式や通信プロトコルはシステム毎に設計されているため、無線通信システムの伝送速度、セキュリティ強度やカバーエリアは無線通信システム毎に異なっている。
【００１７】
また、無線通信システムの通信手順においても、ユーザデータを伝送する機能やユーザの認証をする機能、データを暗号化するための鍵を配送する機能や移動制御に関する機能というように機能毎に分けることができる。
【００１８】
さらに、１台で複数の無線通信システムに対応するマルチモード無線機として、複数の無線通信システムに対応した専用回路等から構成される無線機や、ハードウェアを変更することなくソフトウェアの変更のみで無線機の機能を変更できるソフトウェア無線機がある（例えば、文献：J．Mitola，III“The  Software  Radio  Architecture”，IEEE  Comm．Mag．Vol．33，No．５，pp．26-38，1995参照）。
【００１９】
本発明では、上記特徴に注目し、サービスの要求条件に基づき複数の無線通信システムを１つの無線通信システムとみなし、要求条件毎に、各要求条件を満たすように適応的に無線通信システムの機能を分配することで、所望のサービス要求条件を満たす複合無線通信システムを実現する。さらに、ソフトウェア無線端末を利用する際に、サービスの要求条件を満たし、且つ最適なハードウェアリソース配分となる無線通信システムを決定する。
【００２０】
本発明は、サービスの要求条件に基づき、サービス品質項目別に無線通信システムを選択し、選択された無線通信システムに対し、品質項目に関与する制御データ或いはユーザデータを配分することを特徴とする複合無線通信システムを構成する。
【００２１】
本発明に係る複合無線通信システムの一例を図１に示す。
【００２２】
図１において、ネットワークで接続された複数の無線通信システム１（無線通信システムＡ及び無線通信システムＢで表示）、及び、無線通信システム１に接続可能なマルチモード無線機３が存在する。本複合無線通信システムは、無線通信システム１により通信サービスを提供する。なお、無線通信システム１以外に、他の無線通信システム（無線通信システムＣ）が存在していてもよい。
【００２３】
図１において、サービス制御局２は、無線システム１に接続したネットワーク上に存在しているが、図８に示すように、サービス制御局２が複数の無線通信システム１（無線通信システムＡ、無線通信システムＢ）に、それぞれ、個別に接続するようにしてもよい。
【００２４】
サービス制御局２及びマルチモード無線機３は、制御データとユーザデータの配分及び管理を行う情報管理手段を具備している。
【００２５】
さらに、サービス制御局２、マルチモード無線機３の少なくとも一方が、前記通信サービスの要求条件を所定の品質項目別に登録した要求条件テーブルと、複数の無線通信システム１（無線通信システムＡ及びＢ）の前記品質項目に関する品質値を登録した品質管理テーブルと、無線通信システムの選択を行う無線通信システム選択手段とを具備し、前記無線通信システム選択手段は、前記要求条件テーブルと前記品質管理テーブルに基づき、前記通信サービスの要求条件を満たす無線通信システム１を前記品質項目別に１つ或いは複数選択し、前記情報管理手段は、前記品質項目別に選択された無線通信システム１に対し、前記品質項目別の品質値に関与する制御データあるいはユーザデータをそれぞれ配分する。
【００２６】
図２は、本発明に係る複合無線通信システムの構成要素であるマルチモード無線機の一例のブロック構成図である。この構成においては、マルチモード無線機が無線通信システム選択を行う。
【００２７】
本構成において、サービス要求が無線通信システム選択手段に入力される。
【００２８】
無線通信システム選択手段は、サービス要求に対して、要求条件テーブルと品質管理テーブルを利用して無線通信システムの選択を行う。無線通信システム選択手段は、選択結果を情報管理手段に通知する。併せて、マルチモード無線通信手段の設定を行う。図２中では、無線通信システム手段がマルチモード無線通信手段の設定を行っているが、情報管理手段に選択結果を通知後、情報管理手段がマルチモード無線通信手段の設定を行う場合もある。
【００２９】
情報管理手段は、無線通信システムの選択結果に基づき、ユーザデータや制御情報等を無線通信システム毎に配分し、マルチモード無線通信手段へ送信する。
【００３０】
マルチモード無線通信手段は、無線通信システムの状態やユーザデータ、制御情報等を情報管理手段に送信する。
【００３１】
また、情報管理手段は無線通信システムから受信したユーザデータや制御データの統合を行う。
【００３２】
図３は、本発明に係る複合無線通信システムにおけるサービス制御局の一例のブロック構成図である。この構成においては、サービス制御局が無線通信システム選択を行う。
【００３３】
本構成において、サービス要求が、ある無線通信システムを用いて伝送され、入力手段から情報管理手段へ通知される。この時、サービス要求をしたマルチモード無線機の通信可能な無線通信システムをサービス制御局は把握しているものとする。若しくは、マルチモード無線機が無線通信システムの利用可否について、サービス要求と共に送信する。
【００３４】
ＮＷ（ネットワーク）インタフェースからサービス要求が無線通信システム選択手段へ通知される。
【００３５】
無線通信システム手段は、サービス要求に対して、要求条件テーブルと品質管理テーブルを利用して無線通信システムの選択を行う。無線通信システム選択手段は、選択結果を情報管理手段に通知する。
【００３６】
情報管理手段は、無線通信システムの選択結果に基づき、ユーザデータや制御情報等を配分し、入出力手段を利用し、対応する無線通信システムに適宜送信する。
【００３７】
また、情報管理手段は無線通信システムから受信したユーザデータや制御データの統合を行う。
【００３８】
図４は、請求項２に記載の複合無線通信システムの構成要素であるマルチモード無線機（この場合は、ソフトウェアを変更することで接続する無線通信システムを変更できるソフトウェア無線機である）の一例のブロック構成図である。この構成においては、ソフトウェア無線機が無線通信システム選択を行う。このソフトウェア無線機は、前記ソフトウェアが使用するハードウェア資源を、接続する無線通信システム別に登録したハードウェア資源テーブルを備えている。
【００３９】
本構成において、サービス要求がサービスインタフェースから無線通信システム選択手段へ入力される。
【００４０】
無線通信システム選択手段は、サービス要求に対して、要求条件テーブルと品質管理テーブルを利用して無線通信システムの選択を行う。
【００４１】
無線通信システム選択手段は、ハードウェア資源テーブルの情報を基に、無線通信システムを決定し、結果を情報管理手段に通知する。
【００４２】
無線通信システム選択手段は、無線通信手段を定義するプログラムやパラメータをソフトウェア無線通信手段に設定する。
【００４３】
選択結果に基づき、情報管理手段がソフトウェア無線通信手段の設定を行う場合もある。
【００４４】
情報管理手段は、無線通信システムの選択結果に基づき、配分されたユーザデータや制御情報等をソフトウェア無線通信手段へ送信する。
【００４５】
また、情報管理手段は無線通信システムから受信したユーザデータや制御データの統合を行う。
【００４６】
上記のように、このソフトウェア無線機は、ソフトウェアが使用するハードウェア資源を、接続する無線通信システム別に登録したハードウェア資源テーブルを備え、無線通信システム選択手段は、品質項目別に１つ或いは複数選択された無線通信システムからハードウェア資源テーブルに基づき、ハードウェア資源の利用が最小となる無線通信システムの組み合わせを絞り込み選択することができる。
【００４７】
図５に、マルチモード無線機が要求条件テーブルと品質管理テーブルと無線通信システム選択手段と情報管理手段を具備している場合のマルチモード無線機のフローチャートを示す。
【００４８】
図５に示したように、処理文102で、マルチモード無線機は、要求条件テーブルからサービスの要求条件の値を抽出し、品質管理テーブルから得た無線通信方式の各品質項目と比較を行う。
【００４９】
処理文102の比較結果を基に、判定文104で、マルチモード無線機は、サービスの要求条件を満たす無線通信方式、或いは無線通信方式の組み合わせの有無について判定を行う。サービスの要求条件を満たす無線通信システム、或いは無線通信システムの組み合わせが存在する場合は、処理文108に進み、存在しない場含は、処理文106へそれぞれ進む。
【００５０】
処理文108で、マルチモード無線機は、無線通信システム選択手段で、比較結果に基づき利用する無線通信方式の決定を行い、処理文110へ進む。
【００５１】
一方、処理文106で、マルチモード無線機は、サービスに対して要求条件のデグレード要求を行い、終了となる。
【００５２】
処理文110で、マルチモード無線機は、情報管理手段を用い複合無線通信システムを利用して通信を実施し、終了となる。
【００５３】
サービスＡの要求条件を要求条件テーブルとして記述した例を表１とし、無線通信システムＡ及び無線通信システムＢの品質管理テーブルの一例を表２に示す。
【００５４】
【表１】
2006246115.tif 000003
【００５５】
【表２】
2006246115.tif 000004
伝送速度、セキュリティ（認証、鍵配送）、モビリティの３頃目を要求条件テーブル及び品質管理テーブルの品質項目の一例とする。伝送速度はサービスを提供する際の通信速度であり、セキュリティはユーザの認証や鍵の配送時の安全性などである。モビリティは移動に対する耐性である。
【００５６】
マルチモード無線機は、図５のフローチャートに従い、無線通信方式の選択を行う。サービスＡの要求条件は、伝送速度３、セキュリティ３、モビリティ１であるので、データを伝送する際の無線通信システムとして無線通信システムＡが、セキュリティを実施するための無線通信システムとして無線通信システムＢがそれぞれ選択される。モビリティは１なので無線通信システムＡで対応する。
【００５７】
無線通信システムＡでデータ伝送を行い、無線通信システムＢを利用し、無線通信システムのセキュリティ（認証と鍵の配送）を実施するタイムシーケンスの一例を図６に示す。
【００５８】
図６において、無線通信システムＡのみがセキュリティに関する品質のサービスの要求条件を満たし、無線通信システムＢのみが伝送速度に関する品質においてサービスの要求条件を満たすものとする。
【００５９】
☆１でサービス要求が発生する。
【００６０】
☆２でマルチモード無線機は、サービスの要求条件に基づき無線通信システムの選択を行う。
【００６１】
時刻t1でマルチモード無線機は、無線通信システムＡと接続し、通信路の確立を行う。
【００６２】
時刻t2でマルチモード無線機は、無線通信システムＢと接続し、通信路の確立を行う。
【００６３】
時刻t3、及び時刻t4で、マルチモード無線機はサービス提供局と認証やユーザデータを暗号化する際に利用する鍵の交換などのセキュリティに関する制御情報を無線通信システムＡに振り分け、無線通信システムＡを利用してサービス提供局と通信を行う。
【００６４】
時刻t5、及び時刻t6で、マルチモード無線機、及びサービス制御局は、ユーザデータを無線通信システムＢに振り分け、無線通信システムＢを利用して、サービス提供局と通信を行う。
【００６５】
請求項２に記載の複合無線通信システムにけるように、ソフトウェア無線機が要求条件テーブルと品質管理テーブルと無線通信システム選択手段と情報管理手段を具備している場合のソフトウェア無線端末の処理フローチャートを図７に示す。
【００６６】
図７において、ソフトウェア無線機は、処理文202の比較結果を基に、判定文204でソフトウェア無線機は、サービスの要求条件を満たす無線通信方式、或いは無線通信方式の組み合わせの有無について判定を行う。サービスの要求条件を満たす無線通信システム、或いは無線通信システムの組み合わせが存在する場合は、処理文208に進み、存在しない場合は、処理文206へそれぞれ進む。
【００６７】
処理文208で、ソフトウェア無線機は、ハードウェア資源テーブルを利用し、選択された無線通信システムの侯補の中から、ハードウェアリソースの消費が最小となる無線通信システムの組み合わせを選択する。
【００６８】
一方、処理文206へ進んだ場合、ソフトウェア無線機はサービスに対して、要求条件のデグレードを要求し、終了となる。
【００６９】
判定文210で、処理文208で選択された無線通信システムが消費するハードウェアリソースとソフトウェア無線機の使用可能なハードウェアリソースの比較を行う。ハードウェアリソースが不足している場合は処理文206へ、不足していない場合は処理文212へそれぞれ進む。
【００７０】
処理文212でソフトウェア無線機は、無線通信システム選択手段を用い、利用する無線通信システムを決定し、無線機の機能変更を行い、処理文214で、情報管理手段を用い複合無線通信システムを利用して無線通信の実施を行い、終了となる。
【００７１】
請求項３に記載の複合無線通信システムの一例を図８に示す。この場合には、サービス制御局２が複数の無線通信システム１（無線通信システムＡ、無線通信システムＢ）に、それぞれ、個別に接続している。そのようなサービス制御局２の制御動作により、例えば、１つの無線通信システム１である無線通信システムＡの通信シーケンスに、１つの他の無線通信システム１である無線通信システムＢの通信シーケンスが組み込まれる。これによって、無線通信システムＢの通信シーケンスが無線通信システムＡの通信シーケンスに組み込まれ、無線通信システムＡのみによって所望の通信サービスを提供することが可能となる。
【００７２】
以上に説明したように、本発明は、ユーザが利用可能な複数の無線通信システムのサービス品質とサービスの要求条件を比較、選択し、選択結果に基づき一つ或いは複数の無線通信システムを柔軟に組み合わせて利用することで、サービスの要求条件を満たすことを可能とする。
【００７３】
これにより、通信事業者は、多大な費用を投資することなく既存の無線通信システムを利用することで、様々な品質のサービスに柔軟に対応が可能となる。一方ユーザは、複数の無線通信システムをサービスに応じて適応的に利用することが可能となるため、適切な品質のサービスを享受することが可能となる。
【図面の簡単な説明】
【００７４】
【図１】本発明に係る複合無線通信システムの一例の概念図である。
【図２】本発明に係る複合無線通信システムの構成要素であるマルチモード無線機の一例のブロック構成図である。
【図３】本発明に係る複合無線通信システムにおけるサービス制御局の一例のブロック構成図である。
【図４】請求項２に記載の複合無線通信システムの構成要素であるマルチモード無線機の一例のブロック構成図である。
【図５】マルチモード無線機が要求条件テーブルと品質管理テーブルと無線通信システム選択手段と情報管理手段を具備している場合のマルチモード無線機のフローチャートを示す。
【図６】請求項１に記載の複合無線通信システムにおけるタイムシーケンス例である。
【図７】請求項２に記載の複合無線通信システのフローチャートの一例である。
【図８】請求項３に記載の複合無線通信システムの一例の概念図である。
【図９】従来方式のマルチモード無線機のフローチャートの一例である。
【符号の説明】
【００７５】
１：無線通信システム、２：サービス制御局、３：マルチモード無線機。
【図１】
2006246115.tif 000005
【図２】
2006246115.tif 000006
【図３】
2006246115.tif 000007
【図４】
2006246115.tif 000008
【図５】
2006246115.tif 000009
【図６】
2006246115.tif 000010
【図７】
2006246115.tif 000011
【図８】
2006246115.tif 000012
【図９】
2006246115.tif 000013